(57)【要約】【課題】ネットワークを介して外部から家電機器などの被制御機器を制御する機器制御システム及び機器制御装置並びに機器制御方法に関し、【解決手段】通信端末装置（１１）からネットワーク（１２）を介して通信制御装置（１３）に被制御機器（１５−１〜１５−ｎ）を制御する制御指示を送出し、通信端末装置（１１）からの制御指示を通信制御装置（１３）から機器制御装置（１４−１〜１４−ｎ）に送出し、機器制御装置（１４−１〜１４−ｎ）により通信制御装置（１３）からの制御指示に基づいて被制御機器（１５−１〜１５−ｎ）を制御することを特徴とする。【選択図】  図３
2004187092.tif 000002
【特許請求の範囲】
【請求項１】
被制御機器と、
前記被制御機器を制御する機器制御装置と、
前記機器制御装置と通信可能とされ、前記機器制御装置に制御指示を送出する通信制御装置と、
ネットワークを介して前記通信制御装置と通信可能とされ、前記通信制御に制御指示を送出する通信端末装置とを有することを特徴とする機器制御システム。
【請求項２】
前記機器制御装置は、前記通信端末装置からの指示に基づいて前記被制御機器の状態を検出し、前記通信制御装置に送信し、
前記通信制御装置は、前記機器制御装置から供給された状態情報を前記通信端末装置に送信することを特徴とする請求項１記載の機器制御システム。
【請求項３】
前記機器制御装置と前記通信制御装置とは、無線通信システムによって通信を行うことを特徴とする請求項１又は２記載の機器制御システム。
【請求項４】
前記無線通信システムは、無線ＬＡＮであることを特徴とする請求項３記載の機器制御システム。
【請求項５】
前記ネットワークは、電話回線網であることを特徴とする請求項１乃至４のいずれか一項記載の機器制御システム。
【請求項６】
前記機器制御装置は、前記被制御機器のインタフェースと通信可能なインタフェースを有することを特徴とする請求項１乃至５のいずれか一項記載の機器制御システム。
【請求項７】
通信端末装置とネットワークを介して通信可能とされた通信制御装置との通信を行う通信手段と、
前記通信端末装置から指示に基づいて前記被制御機器を制御するための処理を行う処理手段と、
前記被制御機器とのインタフェースをとるインタフェース手段とを有することを特徴とする機器制御装置。
【請求項８】
前記処理手段は、前記通信端末装置からの指示に基づいて前記被制御機器の状態を検出し、前記通信手段を介して前記通信制御装置に送信し、
前記通信制御装置を介して前記通信端末装置に送信することを特徴とする請求項７記載の機器制御装置。
【請求項９】
前記通信手段は、前記通信制御装置と無線通信システムによって通信を行うことを特徴とする請求項７又は８記載の機器制御装置。
【請求項１０】
前記無線通信システムは、無線ＬＡＮであることを特徴とする請求項９記載の機器制御装置。
【請求項１１】
通信端末装置からネットワークを介して通信制御装置に被制御機器を制御する制御指示を送出し、
前記通信端末装置からの制御指示を前記通信制御装置から機器制御装置に送出し、
前記機器制御装置により前記通信制御装置からの制御指示に基づいて前記被制御機器を制御することを特徴とする機器制御方法。
【請求項１２】
前記通信端末装置からの指示に基づいて前記機器制御装置により、前記被制御機器の状態を検出し、
前記機器制御装置により、検出した状態情報を前記通信制御装置に送信し、
前記通信制御装置から前記状態情報を前記通信端末装置に送信することを特徴とする請求項１１記載の機器制御方法。
【請求項１３】
前記機器制御装置と前記通信制御装置とは、無線通信システムによって通信を行うことを特徴とする請求項１１又は１２記載の機器制御方法。
【請求項１４】
前記無線通信システムは、無線ＬＡＮであることを特徴とする請求項１３記載の機器制御方法。
【請求項１５】
前記ネットワークは、電話回線網であることを特徴とする請求項１１乃至１４のいずれか一項記載の機器制御方法。
【発明の詳細な説明】
【０００１】
【発明の属する技術分野】
本発明は機器制御システム及び機器制御装置並びに機器制御方法に係り、特に、ネットワークを介して外部から家電機器などの被制御機器を制御する機器制御システム及び機器制御装置並びに機器制御方法に関する。
【０００２】
【従来の技術】
従来、携帯電話機から家屋に設置された家電機器などを制御する機器制御システムではコンピュータシステムを通して家庭内に設定された所望のＬＡＮなどを通して家電機器を制御していた。このため、このようなシステムを構築する場合には、家電機器が所望のＬＡＮに対応していることが必須であった。
【０００３】
【発明が解決しようとする課題】
しかるに、従来の機器制御システムでは、コンピュータシステムが必須であり、かつ、家電機器が所望のＬＡＮに対応している必要があったため、コンピュータシステムのみならず対応する家電機器を新たに購入する必要があり、システムの規模が大きくなるなどの問題点があった。
【０００４】
本発明は上記の点に鑑みてなされたもので、簡易に設置可能な機器制御システム及び機器制御装置並びに機器制御方法を提供することを目的とする。
【０００５】
【課題を解決するための手段】
本発明は、通信端末装置（１１）からネットワーク（１２）を介して通信制御装置（１３）に被制御機器（１５−１〜１５−ｎ）を制御する制御指示を送出し、通信端末装置（１１）からの制御指示を通信制御装置（１３）から機器制御装置（１４−１〜１４−ｎ）に送出し、機器制御装置（１４−１〜１４−ｎ）により通信制御装置（１３）からの制御指示に基づいて被制御機器（１５−１〜１５−ｎ）を制御することを特徴とする。
【０００６】
本発明によれば、機器制御装置（１４−１〜１４−ｎ）と被制御機器（１５−１〜１５−ｎ）とのインタフェースが取れていればよいので、被制御機器（１５−１〜１５−ｎ）のインタフェースを選ばず、したがって、設置の自由度を向上させることができる。
【０００７】
【発明の実施の形態】
図１は本発明の一実施例のシステム構成図を示す。
【０００８】
本実施例の機器制御システム１は、携帯電話機１１、ネットワーク１２、通信制御装置１３、機器制御装置１４−１〜１４−ｎ、被制御機器１５−１〜１５−ｎから構成され、携帯電話機１１の操作に基づいて家屋１７に設けられた被制御機器１５−１〜１５−ｎを制御可能としたシステムである。
【０００９】
次に携帯電話機１１について説明する。
【００１０】
図２は携帯電話機１１のブロック構成図を示す。
【００１１】
携帯電話機１１は、操作部２１、処理回路２２、送受信回路２３、アンテナ２４、表示装置２５、音声処理回路２６、スピーカ２７、マイクロフォン２８を含む構成とされている。
【００１２】
操作部２１は、ポインティングデバイス及び複数のボタンスイッチなどから構成され、電源のオン、オフ、ダイヤル入力、文章の入力、表示装置２５に表示されるアイコンなどを選択、指示し、コマンドを発行するために用いられる。操作部２１での操作は、処理回路２２で監視されている。
【００１３】
処理回路２２はＣＰＵなどから構成されており、操作部２１の操作に基づいた操作データを作成し、送受信回路２３に供給する。送受信回路２３は、処理回路２２から供給される送信データを変調して送信信号を生成し、アンテナ２４から送出する。送信データは、操作部２１から供給される操作データ及び音声処理回路２６から供給される音声データなどを含む。
【００１４】
また、送受信回路２３は、アンテナ２４で受信した受信信号から受信データを復調して処理回路２２に供給する。受信データは、音声データ及び画像データを含む。処理回路２２は、送受信回路２３からの受信データのうち画像データを表示装置２５に供給し、音声データを音声処理回路２６に供給する。
【００１５】
表示装置２５には、処理回路２２から画像データが供給される。表示装置２５は、ＬＣＤ（ｌｉｑｕｉｄ  ｃｒｙｓｔａｌ  ｄｅｖｉｃｅ）などから構成されており、処理装置２２から供給された画像データに応じた画像を表示する。音声処理回路２６は、処理装置２２から供給された音声データを音声信号に変換し、スピーカ２７に供給する。スピーカ２７は、音声処理回路２６からの音声信号に応じた音声を出力する。
【００１６】
また、音声処理回路２６は、マイクロフォン２８から供給される音声信号を音声データに変換し、処理回路２２に供給する。処理回路２２は、音声処理回路２６からの音声データを送受信回路２３に供給する。
【００１７】
このように、携帯電話機１１は、操作部２１の操作によりネットワーク１２を介して他の通信端末装置との画像データや音声データなどの通信が可能となる。本実施例では、携帯電話機１１からネットワーク１２を介して通信制御装置１３と通信を確立することにより、携帯電話機１１からの被制御機器１５−１〜１５−ｎの制御を可能としている。
【００１８】
次に携帯電話機１１の動作を説明する。
【００１９】
図３は携帯電話機１１の処理フローチャートを示す。
【００２０】
操作者が操作部２１を操作して通信制御装置１３にダイヤルすると、処理回路２２がステップＳ１−１でこれを検出し、ステップＳ１−２でダイヤルを行う。処理回路２２はステップＳ１−３でネットワーク１２を介して通信制御装置１３との通信が確立すると、ステップＳ１−４で操作部２１による制御指示の監視を行う。このとき、通信制御装置１３から被制御機器１５−１〜１５−ｎを選択する選択画面を送信し、送信した選択画面から制御を行う被制御機器を選択し、さらに、通信制御装置１３から携帯電話機１１により選択された被制御機器を制御するための制御画面を送信するようにした後、制御指示を監視するようにしてもよい。
【００２１】
処理回路２２は、ステップＳ１−４で操作部２１により制御指示の操作が行われると、ステップＳ１−５で制御指示に応じた指示コマンドを作成し、通信制御装置１３に送信する。
【００２２】
処理回路２２は、ステップＳ１−６で操作部２１から制御終了指示があるまで、ステップＳ１−４〜Ｓ１−６の処理を繰り返す。処理回路２２は、ステップＳ１−６で操作部２１から制御終了指示があると、ステップＳ１−７で回線を切断して処理を終了する。
【００２３】
次に通信制御装置１３について説明する。
【００２４】
図４は通信制御装置１３のブロック構成図を示す。
【００２５】
通信制御装置１３は、通信回路３１、処理回路３２、メモリ３３、無線通信回路３４を含む構成とされている。
【００２６】
通信回路３１は、ネットワーク１２との通信制御を行う。通信回路３１で受信したデータは、処理回路３２に供給される。処理回路３２は、ＣＰＵなどから構成されており、メモリ３３にインストールされたプログラムにより動作する。携帯電話機１１からの制御指示を解析し、無線通信回路３４に供給する。無線通信回路３４は、処理回路３２からの制御指示を変調して、アンテナ３５から送出する。アンテナ３５から送出された制御指示は、機器制御装置１４−１〜１４−ｎに送信される。
【００２７】
次に通信制御装置１３の動作を説明する。
【００２８】
図５は通信制御装置１３の処理回路３２の処理フローチャートを示す。
【００２９】
処理回路３２は、ステップＳ２−１で携帯電話機１１から呼出を受けると、ステップＳ２−２で携帯電話機１１の呼出に対して応答する。
【００３０】
処理回路３２は、ステップＳ２−３で携帯電話機１１との通信が確立すると、ステップＳ２−４で携帯電話機１１からの制御指示を待機する。処理回路３２は、ステップＳ２−４で携帯電話機１１から制御指示があると、ステップＳ２−５で制御指示に応じたコマンドを機器制御装置１４−１〜１４−ｎのうち指定された機器制御装置１４−ｉに送信する。
【００３１】
処理回路３２は、ステップＳ２−６で携帯電話機１１から制御終了指示があるまで、ステップＳ２−４〜Ｓ２−６の処理を繰り返す。処理回路３２は、ステップＳ２−６で携帯電話機１１から制御終了指示があると、ステップＳ２−７で回線を切断して処理を終了する。
【００３２】
以上により、通信制御装置１３により機器制御装置１４−ｉに選択的に制御指示が送信される。
【００３３】
次に機器制御装置１４−ｉの構成を説明する。
【００３４】
図６は機器制御装置１４−ｉのブロック構成図を示す。
【００３５】
機器制御装置１４−ｉは、アンテナ４１、無線通信回路４２、処理回路４３、メモリ４４、インタフェース回路４５、入出力ポート４６を含む構成とされている。
【００３６】
アンテナ４１は、通信制御装置１３のアンテナ３５から送出された送信波を受信する。アンテナ４１で受信された受信信号は、無線通信回路４２に供給される。無線通信回路４２は、アンテナ４１で受信した受信信号から受信データを復調する。
【００３７】
復調された受信データは、処理回路４３に供給される。処理回路４３は、ＣＰＵなどから構成されており、メモリ４４にインストールされたプログラムに基づいて被制御機器１５−ｉを制御するための処理を実行する。例えば、通信制御装置１３からの制御指示に応じた制御信号を生成し、インタフェース回路４５に供給する。
【００３８】
インタフェース回路４５は、処理回路４３からの制御信号に基づいて被制御機器１５−ｉを駆動するための駆動信号を生成する。また、インタフェース回路４５は、被制御機器１５−ｉのインタフェースとインタフェースをとることができる構成とされている。さらに、インタフェース回路４５は、処理回路４３からの指示に基づいて被制御機器１５−ｉにその状態の検出を指示し、被制御機器１５−ｉで検出された状態情報を受信して、処理回路４３に供給する。
【００３９】
なお、インタフェース回路４５は、パワートランジスタを含み、被制御機器１５−ｉを直接的に駆動し、制御する構成としてもよい。
【００４０】
以上により、機器制御装置１４−ｉにより被制御機器１５−ｉの制御が可能となる。
【００４１】
なお、入出力ポート４６は、例えば、ＵＳＢ（ｕｎｉｖｅｒｓａｌ  ｓｅｒｉａｌ  ｂｕｓ）インタフェースなどから構成され、プログラムインストール時やプログラム書き換え時にプログラム書換システム５０が接続される。コンピュータ書換システム５０は、入出力ポート４６に接続されて、メモリ４４にプログラムインストールしたり、メモリ４４に既にインストールされたプログラムを更新したりする。
【００４２】
これによって、接続される被制御機器１５−ｉに応じたプログラムをインストールすることができ、よって、各種被制御機器に対応できる。
【００４３】
次に、機器制御装置１４−ｉの処理について説明する。
【００４４】
図７は機器制御装置１４−ｉの処理回路４３の処理フローチャートを示す。
【００４５】
処理回路４３は、ステップＳ３−１で通信制御装置１３から制御指示を受信すると、ステップＳ３−２で受信した制御指示を解析して、ステップＳ３−３で受信した制御指示が状態検出指示か否かを判定する。
【００４６】
処理回路４３は、ステップＳ３−３で受信した制御指示が状態検出指示である場合には、ステップＳ３−４で被制御機器１５−ｉから状態情報を検出し、ステップＳ３−５で検出した状態情報を通信制御装置１３に送信する。
【００４７】
また、処理回路４３は、ステップＳ３−３で受信した制御指示が状態検出指示でない、すなわち、被制御機器１５−ｉを制御する指示である場合には、ステップＳ３−６で被制御機器１５−ｉを制御するための制御信号を生成し、ステップＳ３−７でインタフェース回路４５に供給する。
【００４８】
以上によりインタフェース回路４５により被制御機器１５−ｉが制御される。
【００４９】
次に被制御機器１５−ｉの構成を説明する。
【００５０】
図８は被制御機器１５−ｉのブロック構成図を示す。
【００５１】
被制御機器１５−ｉは、インタフェース回路５１、駆動回路５２−１〜５２−ｍ、機器本体５３、検出回路５４−１〜５４−ｋを含む構成とされている。
【００５２】
インタフェース回路５１は機器制御装置１４−ｉのインタフェース回路４５とのインタフェースをとることが可能なインタフェースで構成されている。インタフェース回路５１には、機器制御装置１４−ｉから制御指示が供給される。インタフェース回路５１は、機器制御装置１４−ｉからの制御指示から機器本体５３の制御対象を解析する。なお、機器本体５３は、制御対象７１−１〜７１−ｍ及び検出対象８１−１〜８１−ｋを含む構成とされている。
【００５３】
インタフェース回路５１は、駆動回路５２−１〜５２−ｍのうち制御指示に応じた制御対象７１−ｉを駆動するための駆動回路５２−ｉを制御し、制御対象７１−ｉを制御指示に応じた量だけ駆動する。また、インタフェース回路５１は、検出回路５４−１〜５４−ｋのうち制御指示に応じた検出回路５４−ｉから検出対象８１−ｉの状態検出信号を取得する。
【００５４】
以上により、被制御機器１５−ｉの動作を制御できるとともに、被制御機器１５−ｉの状態を検出することができる。
【００５５】
なお、本実施例では、機器制御装置１４−ｉからインタフェースを通して被制御装置１５−ｉの制御対象７１−ｉを駆動制御したが、機器制御装置１４−ｉから直接的に制御対象７１−ｉを駆動制御するようにしてもよい。
【００５６】
図９は機器制御装置１４−ｉ及び被制御機器１５−ｉの変形例のブロック構成図を示す。
【００５７】
本変形例の機器制御装置１４−ｉは、駆動回路９１及び検出回路１０１を有する。
【００５８】
駆動回路９１は、パワートランジスタなどを内蔵しており、処理回路４３からの制御信号に応じて直接アクチュエータなどを駆動するための駆動信号を出力ポートＰｏｕｔから出力可能とされている。また、検出回路１０１は、計測回路やＡ／Ｄ（ａｎａｌｏｇ／ｄｉｇｉｔａｌ）変換器などを内蔵し、入力ポートＰｉｎに供給される検出信号をディジタル信号に変換して処理回路４３に供給可能な構成とされている。
【００５９】
本変形例の被制御機器１５−ｉは、駆動ポートＰａ及び検出ポートＰｓが設けられている。駆動ポートＰａには、機器制御装置１４−ｉの出力ポートＰｏｕｔが接続される。検出ポートＰｓには、機器制御装置１４−ｉの入力ポートＰｉｎが接続される。
【００６０】
駆動ポートＰａは、機器本体５３内部で機器本体５３の動作を制御するアクチュエータ６２が接続されている。また、検出ポートＰｓは、機器本体５３内部で機器本体５３の状態を検出するためのセンサ６１が接続されている。
【００６１】
アクチュエータ６２は、機器制御装置１４−ｉの出力ポートＰｏｕｔから供給される駆動信号により直接的に駆動される。また、センサ６１の出力信号は、検出ポートＰｓから直接的に機器制御装置１４−ｉの入力ポートＰｉｎに供給され、機器制御装置１４−ｉで検出データに変換され、通信制御装置１３に供給される。
【００６２】
本実施例の機器制御装置によれば、プログラムを自由に書き換えることができるので、被制御機器のインタフェースを選ばないので、被制御機器の選択の自由度を向上させることができる。
【００６３】
なお、本実施例では、機器制御装置１４−１〜１４−ｎは独立に設けたが、モジュール化して、被制御機器１５−１〜１５−ｎに内蔵するようにしてもよい。
【００６４】
【発明の効果】
上述の如く、本発明によれば、機器制御装置と被制御機器とのインタフェースが取れていればよいので、被制御機器のインタフェースを選ばず、したがって、設置の自由度を向上させることができる等の特長を有する。
【図面の簡単な説明】
【図１】本発明の一実施例のシステム構成図である。
【図２】携帯電話機１１のブロック構成図である。
【図３】携帯電話機１１の処理フローチャートである。
【図４】通信制御装置１３のブロック構成図である。
【図５】通信制御装置１３の処理回路３２の処理フローチャートである。
【図６】機器制御装置１４−ｉのブロック構成図である。
【図７】機器制御装置１４−ｉの処理回路４３の処理フローチャートである。
【図８】被制御機器１５−ｉのブロック構成図である。
【図９】被制御機器１５−ｉの変形例のブロック構成図である。
【符号の説明】
１  機器制御システム
１１  携帯電話機、１２  ネットワーク、１３  通信制御装置
１４−１〜１４−ｎ  機器制御装置、１５−１〜１５−ｉ  被制御機器
１６  無線ＬＡＮ、１７  家屋
２１  操作部、２２  処理回路、２３  送受信回路、２４  アンテナ
２５  表示装置、２６  音声処理回路、２７  スピーカ
２８  マイクロフォン
３１  通信回路、３２  処理回路、３３  メモリ、３４  無線通信回路
３５  アンテナ
４１  アンテナ、４２  無線通信回路、４３  処理回路、４４  メモリ
４５  インタフェース回路、４６  入出力ポート
５１  インタフェース回路、５２−１〜５２−ｍ  駆動回路、５３  機器本体
【図１】
2004187092.tif 000003
【図２】
2004187092.tif 000004
【図３】
2004187092.tif 000005
【図４】
2004187092.tif 000006
【図５】
2004187092.tif 000007
【図６】
2004187092.tif 000008
【図７】
2004187092.tif 000009
【図８】
2004187092.tif 000010
【図９】
2004187092.tif 000011